(57)【要約】【課題】多種類のＯＳＤ表示が容易にでき、ＯＳＤデータの変更毎にコンパイルする必要がない、表示装置を提供する。【解決手段】シリアルデータが入力される制御部８と、表示部７と、セレクタ１１と、制御プログラム１３および第１ＯＳＤデータ１４を記憶する第１記憶部１２と、第２ＯＳＤデータ１６および第３ＯＳＤデータ１７を記憶する第２記憶部１５とを備え、制御部８はセレクタ１１に対し、シリアルデータに含まれるＯＳＤ領域指定信号を出力し、ＯＳＤ領域指定信号に従い、セレクタ１１は第２記憶部１５に対し、ＯＳＤ領域指定信号に対応したアドレス操作信号を選択的に出力する。【選択図】図１
2005274904.tif 000002
【特許請求の範囲】
【請求項１】
シリアルデータが入力される制御部と、表示部と、セレクタと、制御プログラムおよび第１ＯＳＤデータを記憶する第１記憶部と、第２ＯＳＤデータおよび第３ＯＳＤデータを記憶する第２記憶部とを備え、前記制御部は前記セレクタに対し、前記シリアルデータに含まれるＯＳＤ領域指定信号を出力し、前記ＯＳＤ領域指定信号に従い、前記セレクタは前記第２記憶部に対し、前記ＯＳＤ領域指定信号に対応したアドレス操作信号を選択的に出力する事を特徴とする表示装置。
【請求項２】
前記ＯＳＤ領域指定信号が前記第２ＯＳＤデータを指定している場合には、前記第１ＯＳＤデータのアドレスを前記第２ＯＳＤデータのアドレスに読替える様に、前記アドレス操作信号は生成される事を特徴とする請求項１の表示装置。
【請求項３】
検出部を設け、前記制御部は初めに前記第１記憶部を有効にし、前記制御プログラムを読込み、前記検出部は前記第１ＯＳＤデータとのアクセス開始を検出すると、前記セレクタは前記ＯＳＤ領域指定信号に従い、前記第１記憶部または前記第２記憶部を有効にする事を特徴とする請求項１の表示装置。
【請求項４】
前記制御部は前記制御プログラムを読込んだ後に、前記ＯＳＤ領域指定信号に従い、前記第１ＯＳＤデータのアドレスまたは前記第２ＯＳＤデータのアドレスまたは前記第３ＯＳＤデータのアドレスにアクセスする事を特徴とする請求項３の表示装置。
【請求項５】
前記制御部は前記ＯＳＤ領域指定信号により、前記第１ＯＳＤデータまたは前記第２ＯＳＤデータまたは前記第３ＯＳＤデータに従い、前記表示部にＯＳＤ表示させる事を特徴とする請求項４の表示装置。
【請求項６】
信号処理部を設け、前記信号処理部に対し、画像データおよび前記いずれかのＯＳＤデータが入力され、前記信号処理部は前記画像データと前記ＯＳＤデータを組合せ、前記表示部は前記組合されたデータに従う表示をする事を特徴とする請求項５の表示装置。
【発明の詳細な説明】
【技術分野】
【０００１】
本発明は表示装置に関する。
【背景技術】
【０００２】
従来、この種の装置は例えば特許文献１に示されている。この特許文献１の図２によると、ＣＰＵが使用するＲＯＭ領域（制御プログラム）と、ＯＳＤが使用するＲＯＭ領域（ＯＳＤデータ）とを有する１個のＲＯＭ３Ａが示されている。
【特許文献１】特開２００２−３４１８５２号公報
【発明の開示】
【発明が解決しようとする課題】
【０００３】
上記ＲＯＭ３Ａを用いた表示装置は１つのＯＳＤデータしか保存していないので、多種類のＯＳＤ表示ができない、第１の欠点がある。また、上記ＯＳＤデータは制御プログラムと共に、機械語（デジタルデータ）に翻訳するシステムになっている。従って、ＯＳＤデータの一部でも変更したら、その変更毎に、機械語に翻訳（コンパイル）する煩わしさがある、第２の欠点がある。そこで、本発明はこの様な従来の欠点を考慮して、多種類のＯＳＤ表示が容易にでき、ＯＳＤデータの変更毎にコンパイルする必要がない、表示装置を提供する。
【課題を解決するための手段】
【０００４】
上記課題を解決するために、請求項１の本発明では、シリアルデータが入力される制御部と、表示部と、セレクタと、制御プログラムおよび第１ＯＳＤデータを記憶する第１記憶部と、第２ＯＳＤデータおよび第３ＯＳＤデータを記憶する第２記憶部とを備え、制御部はセレクタに対し、シリアルデータに含まれるＯＳＤ領域指定信号を出力し、ＯＳＤ領域指定信号に従い、セレクタは第２記憶部に対し、ＯＳＤ領域指定信号に対応したアドレス操作信号を選択的に出力する。
【０００５】
請求項２の本発明では、ＯＳＤ領域指定信号が第２ＯＳＤデータを指定している場合には、第１ＯＳＤデータのアドレスを第２ＯＳＤデータのアドレスに読替える様に、アドレス操作信号は生成される。
【０００６】
請求項３の本発明では、検出部を設け、制御部は初めに第１記憶部を有効にし、制御プログラムを読込み、検出部は第１ＯＳＤデータとのアクセス開始を検出すると、セレクタはＯＳＤ領域指定信号に従い、第１記憶部または第２記憶部を有効にする。
【０００７】
請求項４の本発明では、制御部は制御プログラムを読込んだ後に、ＯＳＤ領域指定信号に従い、第１ＯＳＤデータのアドレスまたは第２ＯＳＤデータのアドレスまたは第３ＯＳＤデータのアドレスにアクセスする。
【０００８】
請求項５の本発明では、制御部はＯＳＤ領域指定信号により、第１ＯＳＤデータまたは第２ＯＳＤデータまたは第３ＯＳＤデータに従い、表示部にＯＳＤ表示させる。
【０００９】
請求項６の本発明では、信号処理部を設け、信号処理部に対し、画像データおよびいずれかのＯＳＤデータが入力され、信号処理部は画像データとＯＳＤデータを組合せ、表示部は組合されたデータに従う表示をする。
【発明の効果】
【００１０】
請求項１の本発明では、シリアルデータが入力される制御部と、表示部と、セレクタと制御プログラムおよび第１ＯＳＤデータを記憶する第１記憶部と、第２ＯＳＤデータおよび第３ＯＳＤデータを記憶する第２記憶部を備え、制御部はセレクタに対し、シリアルデータに含まれるＯＳＤ領域指定信号を出力し、ＯＳＤ領域指定信号に従い、セレクタは第２記憶部に対し、ＯＳＤ領域指定信号に対応したアドレス操作信号を選択的に出力する。この様に、セレクタはＯＳＤ領域指定信号に対応したアドレス操作信号を選択的に出力するので、制御部は、ＯＳＤ領域指定信号が指定する第２ＯＳＤデータまたは第３ＯＳＤデータに、確実にアクセスする事ができる。
【００１１】
請求項２の本発明では、ＯＳＤ領域指定信号が第２ＯＳＤデータを指定している場合には、第１ＯＳＤデータのアドレスを第２ＯＳＤデータのアドレスに読替える様に、アドレス操作信号は生成される。上記構成により、制御部は制御プログラムを読込んだ後に、第２ＯＳＤデータを正確なタイミングで、かつ確実にアクセスできる。
【００１２】
請求項３の本発明では、検出部を設け、制御部は初めに第１記憶部を有効にし、制御プログラムを読込み、検出部は第１ＯＳＤデータとのアクセス開始を検出すると、セレクタはＯＳＤ領域指定信号に従い、第１記憶部または第２記憶部を有効にする。上記構成により、制御部は制御プログラムを読込んだ後に、第１ＯＳＤデータまたは第２ＯＳＤデータまたは第３ＯＳＤデータを、スムーズにかつコンパイルする事なく、データの作成（書込み）ができる。
【００１３】
請求項４の本発明では、制御部は制御プログラムを読込んだ後に、ＯＳＤ領域指定信号に従い、第１ＯＳＤデータのアドレスまたは第２ＯＳＤデータのアドレスまたは第３ＯＳＤデータのアドレスにアクセスする。上記構成により、多種類のＯＳＤデータに容易にアクセスできるので、多種類の（即ち、大容量の）ＯＳＤ表示を行う事ができる。
【００１４】
請求項５の本発明では、制御部はＯＳＤ領域指定信号により、第１ＯＳＤデータまたは第２ＯＳＤデータまたは第３ＯＳＤデータに従い、表示部にＯＳＤ表示させる。この様にユーザはＯＳＤ領域を指定するだけで、各種のＯＳＤデータは容易にＯＳＤ表示されるので、使い勝手が向上する。
【００１５】
請求項６の本発明では、信号処理部を設け、信号処理部に対し、画像データおよびいずれかのＯＳＤデータが入力され、信号処理部は画像データとＯＳＤデータを組合せ、表示部は組合されたデータに従う表示をする。この様に、信号処理部は画像データおよびＯＳＤデータを組合せ、かつ表示部の大きさに合せた画像信号を出力するので、１つの部品で多くの機能を果たす。その結果、複数の部品を用いるのに比べ、コストが安くなり、組立性が向上する。
【発明を実施するための最良の形態】
【００１６】
以下に、図１と図２に従い、本発明を実施するための最良の形態に係る表示装置１のブロック図、図２は上記表示装置１に用いられる記憶部のイメージ図である。
【００１７】
これらの図において、送受信部２は外部機器３（例えば、パーソナルコンピュータ）からシリアルデータを受信し、また、外部機器３に対し、データを送信するものである。
【００１８】
シリアルデータは例えば、ＯＳＤ領域指定信号と、呼出番号と、オン、オフ信号等からなる。ＯＳＤ領域指定信号とは、制御部（後述）がアクセスでき、保存されたＯＳＤデータ（後述）を指定するための番号である。
【００１９】
Ａ／Ｄ変換部４は、外部機器３から出力された画像データ（アナログ値）を、デジタル値に変換し、画像データ（デジタル値）を出力するものである。
【００２０】
信号処理部５は例えば、スケーラ用の集積回路素子（ＩＣ）等からなる。信号処理部５は、画像データ（デジタル値）が入力され、データバス６を介し、ＯＳＤデータが入力される。信号処理部５は、上記画像データ（デジタル値）と上記ＯＳＤデータを組合せる。そして、信号処理部は表示部７の画面の大きさに応じて、上記組合せデータを拡大または縮小した画像信号Ｄを、表示部７に対して、出力するものである。
【００２１】
表示部７は例えば液晶表示装置であり、液晶パネルと、走査駆動回路と、信号駆動回路（いずれも図示せず）等からなる。表示部７は画像信号Ｄに従い、画像を表示する。
【００２２】
即ち、信号処理部５が設けられている。信号処理部５に対して、画像データ（デジタル値）およびＯＳＤデータが入力される。信号処理部５は上記画像データと上記ＯＳＤデータを組合せる。表示部７は、上記組合されたデータに従う表示を行う。
【００２３】
制御部８は例えばＣＰＵなどからなり、送受信部２と、信号処理部５と、セレクタ（後述）と、第１記憶部（後述）と、第２記憶部（後述）等に接続され、これらの部品を制御する。制御部８は、送受信部２を介して、シリアルデータが入力される。
【００２４】
設定部９は例えば複数の抵抗群等からなり、ＯＳＤデータ（領域）の開始アドレスと、ＯＳＤデータ（領域）の大きさを設定するものである。例えば、この表示装置１の製造者は、出荷前に、上記設定部９において、上記ＯＳＤアドレスの設定を行う。
【００２５】
検出部１０は例えば、排他的論理和からなり、設定部９で設定された第１ＯＳＤデータ１４の開始アドレスと、制御部８が出力するアドレスを比較する。即ち、検出部１０は、制御部８と第１ＯＳＤデータ１４とのアクセス開始を検出し、検出信号（Ｈｉ信号）を出力する。
【００２６】
セレクタ１１は例えばロジック部品の組合せ回路等からなり、制御部８からＯＳＤ領域指定信号が入力され、検出部１０から検出信号が入力される。
【００２７】
第１記憶部１２は例えば、フラッシュロム等からなる。第１記憶部１２は、制御プログラム１３および第１ＯＳＤデータ１４を記憶している。制御プログラム１３は、制御部８の制御動作を定めたプログラムである。
【００２８】
第１ＯＳＤデータ１４は、例えば、ＯＳＤ領域番号（例えば１）と、呼出番号１と、画面位置と、画面の大きさと、画面情報（圧縮データ）とからなる。
【００２９】
セレクタ１１と第１記憶部１２とは電気的接続され、ＯＳＤ領域指定信号と検出信号との組合せにより、セレクタ１１は第１記憶部１２に対し、第１選択記号を出力する。その結果、第１記憶部１２は有効（アクティブ）とされる。
【００３０】
第２記憶部１５は例えば、フラッシュロム等からなる。第２記憶部１５は、第２ＯＳＤデータ１６および第３ＯＳＤデータ１７を記憶している。
【００３１】
第２ＯＳＤデータ１６は例えば、ＯＳＤ領域番号（例えば２）と、呼出番号２と、画面位置と、画面の大きさと、画面情報とからなる。
【００３２】
第３ＯＳＤデータ１７は例えば、ＯＳＤ領域番号（例えば３）と、呼出番号３と、画面位置と、画面の大きさと、画面情報とからなる。
【００３３】
セレクタ１１と第２記憶部１５とは電気的接続され、ＯＳＤ領域指定信号と検出信号との組合せにより、セレクタ１１は第２記憶部１５に対し、第２選択記号を出力する。その結果、第２記憶部１５は有効（アクティブ）とされる。
【００３４】
アドレスバス１８が設けられている。制御部８と、第１記憶部１２と、第２記憶部１５と、検出部１０は各々、アドレスバス１８に接続されている。データバス１９が設けられている。制御部８と、第１記憶部１２と、第２記憶部１５は各々、データバス１９に接続されている。
【００３５】
信号線２０は、セレクタ１１と第２記憶部１５との間に配線されている。ＯＳＤ領域指定信号は第２ＯＳＤデータ１６を指定した場合には、セレクタ１１は信号線２０を介して第２記憶部１５に対し、アドレス操作信号（Ｌｏ信号）を出力する。
【００３６】
また、ＯＳＤ領域指定信号は第３ＯＳＤデータ１７を指定した場合には、セレクタ１１は信号線２０を介して、第２記憶部１５に対して、アドレス操作信号（Ｈｉ信号）を出力する。以上の部品により、この表示装置１は構成されている。
【００３７】
次に図２に示す様に、第１記憶部１２ａは、制御プログラム領域１３ａと、プログラム空き領域１３ｂと、第１ＯＳＤデータ領域１４ａと、ＯＳＤ空き領域１４ｂとからなる。
【００３８】
第２記憶部１５ａは、第２ＯＳＤデータ領域１６ａと、ＯＳＤ空き領域１６ｂと、第３ＯＳＤデータ領域１７ａと、ＯＳＤ空き領域１７ｂとからなる。
【００３９】
同様に、第ｍ記憶部２１は、第（ｎ−１）ＯＳＤデータ領域２２ａと、ＯＳＤ空き領域２２ｂと、第ｎＯＳＤデータ領域２３ａと、ＯＳＤ空き領域２３ｂとからなる。
【００４０】
ＯＳＤ領域指定信号が第２ＯＳＤデータ１６ａを指定するならば、制御部８は第２ＯＳＤデータ領域１６ａとアクセスする。即ち、見かけ上、第１記憶部１２ａにおいて、第１ＯＳＤデータ領域１４ａに代って、第２ＯＳＤデータ領域１６ａが置き換わる。
【００４１】
ＯＳＤ領域指定信号が第３ＯＳＤデータ１７ａを指定するならば、制御部８は第３ＯＳＤデータ領域１７ａとアクセスする。即ち、見かけ上、第１記憶部１２ａにおいて、第１ＯＳＤデータ領域１４ａに代って、第３ＯＳＤデータ領域１７ａが置き換わる。
【００４２】
ＯＳＤ領域指定信号が第（ｎ−１）ＯＳＤデータ２２ａを指定するならば、制御部８は第（ｎ−１）ＯＳＤデータ領域２２ａとアクセスする。即ち、見かけ上、第１記憶部１２ａにおいて、第１ＯＳＤデータ領域１４ａに代って、第（ｎ−１）ＯＳＤデータ領域２２ａが置き換わる。
【００４３】
ＯＳＤ領域指定信号が第ｎＯＳＤデータを指定するならば、制御部８は第ｎＯＳＤデータ領域２３ａとアクセスする。即ち、見かけ上、第１記憶部１２ａにおいて、第１ＯＳＤデータ領域１４ａに代って、第ｎＯＳＤデータ領域２３ａが置き換わる。
【００４４】
上記の様に、第１ＯＳＤデータ領域１４ａの代わりに、第２ＯＳＤ領域１６ａ〜第ｎＯＳＤデータ領域２３ａを置き換える事により、大容量のＯＳＤデータを記憶させ、読出しする事ができる。
【００４５】
次に、図１ないし図４に従い、この表示装置１の動作を説明する。図３は表示装置１の主要動作を示すフローチャートである。図４は表示部７における、表示の第１例である。
【００４６】
これらの図において、最初に制御部８が通電される事により、制御動作が開始する。即ち、制御部８は、第１記憶部１２を有効（アクティブ）にし、第１記憶部１２内の制御プログラム１３の読込みを開始し、各種の命令を実行する。
【００４７】
次に、制御部８は、Ａ／Ｄ変換部４と、信号処理部５と、表示部７と、送受信部２と、検出部１０と、セレクタ１１等を通電させる。
【００４８】
そして制御部８は、Ａ／Ｄ変換部４をして、外部機器３から画像データ（アナログ値）を取り込む（図３のＳ１を参照）。Ａ／Ｄ変換部４は上記画像データをデジタル変換し、信号処理部５に対し、画像データ（デジタル値）を出力する。
【００４９】
制御部８は画像データ（アナログ値）の取り込みと同時に、送受信部２をして、外部機器３からシリアルデータを受信させる（図３のＳ１を参照）。そして制御部８は送受信部２から、シリアルデータを取り込む。
【００５０】
シリアルデータは例えば、ＯＳＤ領域指定信号と、呼出番号と、オン、オフ信号等からなる。
【００５１】
次に制御部８は、入力されたシリアルデータの中に、ＯＳＤ領域指定信号が有るか否かを判定する（図３のＳ２を参照）。仮に、シリアルデータの中に、第２ＯＳＤデータ１６を示すＯＳＤ領域指定信号（例えば、０，１）が有ったとすれば（以下に、これを第１例と呼ぶ）、制御部８はステップＳ２の判定を肯定する。
【００５２】
そして制御部８は、セレクタ１１に対して、シリアルデータに含まれるＯＳＤ領域指定信号（０，１）を出力する（図３のＳ３を参照）。
【００５３】
次に、セレクタ１１は第２記憶部１５に対し、ＯＳＤ領域指定信号（０，１）に対応したアドレス操作信号を出力する（図３のＳ４を参照）。即ち、セレクタ１１は信号線２０を介して第２記憶部１５に対して、アドレス操作信号（Ｌｏ信号）を出力する。
【００５４】
そして検出部１０は、制御部８がアドレスバス１８に対して出力するアドレスが、設定部９で設定された第１ＯＳＤデータ１４の開始アドレスを含むか否かを検出する（図３のＳ５を参照）。
【００５５】
仮に、制御部８が制御プログラム１３を読込み中ならば、第１ＯＳＤデータ１４を未だ読込まないので、制御部８はＳ５の判定を否定し、待機状態となる。
【００５６】
仮に、制御部８が第１ＯＳＤデータ１４の最初のアドレスを読み始めると、検出部１０はＳ５の判定を肯定する。この様にして、検出部１０は、制御部８と第１ＯＤＳデータ１４とのアクセス開始を検出する（図３のＳ５を参照）。
【００５７】
次に、セレクタ１１は入力された検出信号（Ｈｉ信号）と、入力されたＯＳＤ領域指定信号（０，１）に従い、第２記憶部１５を有効（アクティブ）にする第２選択信号を出力する（図３のＳ６を参照）。
【００５８】
そして制御部８は、第２記憶部１５に記憶された第２ＯＳＤデータ１６のアドレスにアクセスを開始する（図３のＳ７を参照）。即ち、制御部８は、制御プログラム１３を読込んだ後に、第２ＯＳＤデータ１６を指定するＯＳＤ領域指定信号（０，１）に従い、第２ＯＳＤデータ１６のアドレスにアクセスする。
【００５９】
もっと詳細には、制御部８は制御プログラム１３の読込みを終えて、検出部１０は第１ＯＳＤデータ１４とのアクセス開始を検出すると、第２記憶部１５は有効とされ、第１記憶部１２は有効とされない（非アクティブ）。
【００６０】
この時点よりも以前において、セレクタ１１は信号線２０を介して第２記憶部１５に対し、アドレス操作信号（Ｌｏ信号）を出力している。
【００６１】
その結果、検出部１０が第１ＯＳＤデータ１４とのアクセス開始を検出した時、第１ＯＳＤデータ１４の最初のアドレス（例えば、８，０，０，０）は、第２ＯＳＤデータ１６の最初のアドレス（例えば、０，０，０，０）に読み替えられる。
【００６２】
それ故に、制御部８は第１記憶部１２の制御プログラム１３を読込んだ後に、第２記憶部１５の第２ＯＳＤデータ１６を、スムーズにかつコンパイルする事なく、読込むことができる。
【００６３】
上記特徴をまとめる。ＯＳＤ領域指定信号（０，１）が第２ＯＳＤデータ１６を指定している場合には、第１ＯＳＤデータ１４のアドレス（８，０，０，０）を、第２ＯＳＤデータ１６のアドレス（０，０，０，０）に読み替える様に、アドレス操作信号は生成される。
【００６４】
次に、制御部８は、データバス１９と６を介して信号処理部５に対して、上記アクセスされた第２ＯＳＤデータ１６を出力する。
【００６５】
信号処理部５は、入力された画像データ（デジタル値）と、入力された第２ＯＳＤデータ１６を組合せる。そして、信号処理部５は、上記組合せデータを拡大または縮小した画像信号Ｄを、表示部７に対し出力する。即ち、制御部８は、アクセスされた第２ＯＳＤデータ１６と画像データを組合せさせ、表示部７にて表示させる（図３のＳ８を参照）。
【００６６】
上記特徴をまとめる。制御部８はＯＳＤ領域指定信号（０，１）により、第２ＯＳＤデータ１６に従い、表示部１７にＯＳＤ表示させる。
【００６７】
次に図４に従い、表示部７における表示の第１例を説明する。図４において、表示部分２４は、外部機器３から入力された画像データに基づく表示であり、例えば、ある会社の広告メッセージ等が表示される。
【００６８】
表示部分２５は、第２記憶部１５に記憶された第２ＯＳＤデータ１６に基づくＯＳＤ表示である。前述した様に、第２ＯＳＤデータ１６は、ＯＳＤ領域番号２と、呼出番号２と、画面位置と、画面の大きさと、画面情報とからなる。
【００６９】
呼出番号２のデータは、号車データと、トイレの表示データと、禁煙データと、ドアの開く方向データ等からなる。上記データにより、号車の表示２５ａと、トイレの表示（使用中は明るくなり、未使用では暗くなる等）２５ｂと、禁煙の表示２５ｃと、ドアの方向表示２５ｄ，２５ｅが表示される。
【００７０】
また、その他のＯＳＤ表示として、画面情報による表示がある。例えば、特急の表示２５ｆと、ドアが開く時のメッセージ２５ｇと、背景色の表示等がある。
【００７１】
この様にして、表示部７は例えば、電車内の適所に配置される。そして例えば、電車の車掌が電車内の外部機器３を操作し、表示装置１に対し、ＯＳＤ領域指定信号（０，１）を含むシリアルデータを送信したとする。その結果、表示部７には、第２ＯＳＤデータ１６と画像データとが組合されたデータとにより、表示が行われる。
【００７２】
次に、図１と図２と図３と図５に従い、この表示装置１の動作を説明する。図５は表示部７における、表示の第２例である。
【００７３】
これらの図において、最初に制御部８が通電される事により、制御動作が開始する。即ち、制御部８は、第１記憶部１２を有効（アクティブ）にし、第１記憶部１２内の制御プログラム１３の読込みを開始し、各種の命令を実行する。
【００７４】
次に、制御部８は、Ａ／Ｄ変換部４と、信号処理部５と、表示部７と、送受信部２と、検出部１０と、セレクタ１１等を通電させる。
【００７５】
そして制御部８はＡ／Ｄ変換部４をして、外部機器３から画像データ（アナログ値）を取り込む（図３のＳ１を参照）。Ａ／Ｄ変換部４は上記画像データをデジタル変換し、信号処理部５に対し、画像データ（デジタル値）を出力する。
【００７６】
制御部８は画像データ（アナログ値）の取り込みと同時に、送受信部２をして、外部機器３からシリアルデータを受信させる（図３のＳ１を参照）。そして制御部８は送受信部２から、シリアルデータを取り込む。
【００７７】
シリアルデータは例えば、ＯＳＤ領域指定信号と、呼出番号と、オン、オフ信号等からなる。
【００７８】
次に制御部８は、入力されたシリアルデータの中に、ＯＳＤ領域指定信号が有るか否かを判定する（図３のＳ２を参照）。仮に、シリアルデータの中に、第３ＯＳＤデータ１７を示すＯＳＤ領域指定信号（例えば、１，０）が有ったとすれば（以下に、これを第２例と呼ぶ）、制御部８はステップＳ２の判定を肯定する。
【００７９】
そして制御部８は、セレクタ１１に対して、シリアルデータに含まれるＯＳＤ領域指定信号（１，０）を出力する（図３のＳ３を参照）。
【００８０】
次に、セレクタ１１は第２記憶部１５に対し、ＯＳＤ領域指定信号（１，０）に対応したアドレス操作信号を出力する（図３のＳ４を参照）。即ち、セレクタ１１は信号線２０を介して第２記憶部１５に対して、アドレス操作信号（Ｈｉ信号）を出力する。
【００８１】
そして検出部１０は、制御部８がアドレスバス１８に対して出力するアドレスが、設定部９で設定された第１ＯＳＤデータ１４の開始アドレスを含むか否かを検出する（図３のＳ５を参照）。
【００８２】
仮に、制御部８が制御プログラム１３を読込み中ならば、第１ＯＳＤデータ１４を未だ読込まないので、制御部８はＳ５の判定を否定し、待機状態となる。
【００８３】
仮に、制御部８が第１ＯＳＤデータ１４の最初のアドレスを読み始めると、検出部１０はＳ５の判定を肯定する。この様にして、検出部１０は、制御部８と第１ＯＤＳデータ１４とのアクセス開始を検出する（図３のＳ５を参照）。
【００８４】
次に、セレクタ１１は入力された検出信号（Ｈｉ信号）と、入力されたＯＳＤ領域指定信号（１，０）に従い、第２記憶部１５を有効（アクティブ）にする第２選択信号を出力する（図３のＳ６を参照）。
【００８５】
そして制御部８は、第２記憶部１５に記憶された第３ＯＳＤデータ１７のアドレスにアクセスを開始する（図３のＳ７を参照）。即ち、制御部８は、制御プログラム１３を読込んだ後に、第３ＯＳＤデータ１７を指定するＯＳＤ領域指定信号（１，０）に従い、第３ＯＳＤデータ１７のアドレスにアクセスする。
【００８６】
もっと詳細には、制御部８は制御プログラム１３の読込みを終えて、検出部１０は第１ＯＳＤデータ１４とのアクセス開始を検出すると、第２記憶部１５は有効とされ、第１記憶部１２は有効とされない（非アクティブ）。
【００８７】
この時点よりも以前において、セレクタ１１は信号線２０を介して第２記憶部１５に対し、アドレス操作信号（Ｈｉ信号）を出力している。
【００８８】
その結果、検出部１０が第１ＯＳＤデータ１４とのアクセス開始を検出した時、第１ＯＳＤデータ１４の最初のアドレスは、第３ＯＳＤデータ１７の最初のアドレスに読み替えられる。
【００８９】
それ故に、制御部８は第１記憶部１２の制御プログラム１３を読込んだ後に、第２記憶部１５の第３ＯＳＤデータ１７を、スムーズにかつコンパイルする事なく、読込むことができる。
【００９０】
上記特徴をまとめる。ＯＳＤ領域指定信号（１，０）が第３ＯＳＤデータ１７を指定している場合には、第１ＯＳＤデータ１４のアドレスを、第３ＯＳＤデータ１７のアドレスに読み替える様に、アドレス操作信号は生成される。
【００９１】
次に、制御部８は、データバス１９と６を介して信号処理部５に対して、上記アクセスされた第３ＯＳＤデータ１７を出力する。
【００９２】
信号処理部５は、入力された画像データ（デジタル値）と、入力された第３ＯＳＤデータ１７を組合せる。そして、信号処理部５は、上記組合せデータを拡大または縮小した画像信号Ｄを、表示部７に対し出力する。即ち、制御部８は、アクセスされた第３ＯＳＤデータ１７と画像データを組合せさせ、表示部７にて表示させる（図３のＳ８を参照）。
【００９３】
上記特徴をまとめる。制御部８はＯＳＤ領域指定信号（１，０）により、第３ＯＳＤデータ１７に従い、表示部７にＯＳＤ表示させる。
【００９４】
次に図５に従い、表示部７における表示の第２例を説明する。図５において、表示部分２６は、外部機器３から入力された画像データに基づく表示であり、例えば、ある会社の広告メッセージ等が表示される。
【００９５】
表示部分２７は、第２記憶部１５に記憶された第３ＯＳＤデータ１７に基づくＯＳＤ表示である。前述した様に、第３ＯＳＤデータ１７は、ＯＳＤ領域番号３と、呼出番号３と、画面位置と、画面の大きさと、画面情報とからなる。
【００９６】
呼出番号３のデータは、号車データと、トイレの表示データと、喫煙データと、ドアの開く方向データ等からなる。上記データにより、号車の表示２７ａと、トイレの表示（使用中は明るくなり、未使用では暗くなる等）２７ｂと、喫煙許可の表示２７ｃと、ドアの方向表示２７ｄが表示される。
【００９７】
また、その他のＯＳＤ表示として、画面情報による表示がある。例えば、急行の表示２７ｅと、ドアが開く時のメッセージ２７ｆと、背景色の表示等がある。
【００９８】
この様にして、表示部７は例えば、電車内の適所に配置される。そして例えば、電車の車掌が電車内の外部機器３を操作し、表示装置１に対し、ＯＳＤ領域指定信号（１，０）を含むシリアルデータを送信したとする。その結果、表示部７には、第３ＯＳＤデータ１７と画像データとが組合されたデータとにより、表示が行われる。
【００９９】
次に、図１と図２と図３と図６に従い、この表示装置１の動作を説明する。図６は表示部７における、表示の第３例である。
【０１００】
これらの図において、最初に制御部８が通電される事により、制御動作が開始する。即ち、制御部８は、第１記憶部１２を有効（アクティブ）にし、第１記憶部１２内の制御プログラム１３の読込みを開始し、各種の命令を実行する。
【０１０１】
次に、制御部８は、Ａ／Ｄ変換部４と、信号処理部５と、表示部７と、送受信部２と、検出部１０と、セレクタ１１等を通電させる。
【０１０２】
そして制御部８は、Ａ／Ｄ変換部４をして、外部機器３から画像データ（アナログ値）を取り込む（図３のＳ１を参照）。Ａ／Ｄ変換部４は上記画像データをヂジタル変換し、信号処理部５に対し、画像データ（デジタル値）を出力する。
【０１０３】
制御部８は画像データ（アナログ値）の取り込みと同時に、送受信部２をして、外部機器３からシリアルデータを受信させる（図３のＳ１を参照）。そして制御部８は送受信部２から、シリアルデータを取り込む。
【０１０４】
シリアルデータは例えば、ＯＳＤ領域指定信号と、呼出番号と、オン、オフ信号等からなる。
【０１０５】
次に制御部８は、入力されたシリアルデータの中に、ＯＳＤ領域指定信号が有るか否かを判定する（図３のＳ２を参照）。仮に、シリアルデータの中に、第１ＯＳＤデータ１４を示すＯＳＤ領域指定信号（例えば、１，１）が有ったとすれば（以下に、これを第３例と呼ぶ）、制御部８はステップＳ２の判定を肯定する。
【０１０６】
そして制御部８は、セレクタ１１に対して、シリアルデータに含まれるＯＳＤ領域指定信号（１，１）を出力する（図３のＳ３を参照）。
【０１０７】
次に、ＯＳＤ領域指定信号に従い、セレクタ１１は第２記憶部１５に対し、ＯＳＤ領域指定信号に対応したアドレス操作信号を、選択的に出力する。上記第３例では、ＯＳＤ領域指定信号（１，１）は第１ＯＳＤデータ１４を指定するものだから、セレクタ１１は上記アドレス操作信号を出力しない。
【０１０８】
そして検出部１０は、制御部８がアドレスバス１８に対して出力するアドレスが、設定部９で設定された第１ＯＳＤデータ１４の開始アドレスを含むか否かを検出する（図３のＳ５を参照）。
【０１０９】
仮に、制御部８が制御プログラム１３を読込み中ならば、第１ＯＳＤデータ１４を未だ読込まないので、制御部８はＳ５の判定を否定し、待機状態となる。
【０１１０】
仮に、制御部８が第１ＯＳＤデータ１４の最初のアドレスを読み始めると、検出部１０はＳ５の判定を肯定する。この様にして、検出部１０は、制御部８と第１ＯＤＳデータ１４とのアクセス開始を検出する（図３のＳ５を参照）。
【０１１１】
次に、セレクタ１１は入力された検出信号（Ｈｉ信号）と、入力されたＯＳＤ領域指定信号（１，１）に従い、第１記憶部１２を有効（アクティブ）にする第１選択信号を出力する（図３のＳ６を参照）。即ち、第１記憶部１２は、有効（アクティブ）の状態が維持される。
【０１１２】
そして制御部８は、第１記憶部１２に記憶された第１ＯＳＤデータ１４のアドレスにアクセスを続行する（図３のＳ７を参照）。即ち、制御部８は、制御プログラム１３を読込んだ後に、第１ＯＳＤデータ１４を指定するＯＳＤ領域指定信号（１，１）に従い、第１ＯＳＤデータ１４のアドレスにアクセスする。
【０１１３】
もっと詳細には、制御部８は制御プログラム１３の読込みを終えて、検出部１０は第１ＯＳＤデータ１４とのアクセス開始を検出すると、第１記憶部１２は有効とされ続け、第２記憶部１５は有効とされない（非アクティブ）。
【０１１４】
それ故に、制御部８は第１記憶部１２の制御プログラム１３を読込んだ後に、第１記憶部１２の第１ＯＳＤデータ１４を、スムーズにかつコンパイルする事なく、読込むことができる。
【０１１５】
次に、制御部８は、データバス１９と６を介して信号処理部５に対して、上記アクセスされた第１ＯＳＤデータ１４を出力する。
【０１１６】
信号処理部５は、入力された画像データ（デジタル値）と、入力された第１ＯＳＤデータ１４を組合せる。そして、信号処理部５は、上記組合せデータを拡大または縮小した画像信号Ｄを、表示部７に対し出力する。即ち、制御部８は、アクセスされた第１ＯＳＤデータ１４と画像データを組合せさせ、表示部７にて表示させる（図３のＳ８を参照）。
【０１１７】
上記特徴をまとめる。制御部８はＯＳＤ領域指定信号（１，１）により、第１ＯＳＤデータ１４に従い、表示部７にＯＳＤ表示させる。
【０１１８】
次に図６に従い、表示部７における表示の第３例を説明する。図６において、表示部分２９は、外部機器３から入力された画像データに基づく表示であり、例えば、ある会社の広告メッセージ等が表示される。
【０１１９】
表示部分３０は、第１記憶部１２に記憶された第１ＯＳＤデータ１４に基づくＯＳＤ表示である。前述した様に、第１ＯＳＤデータ１４は、ＯＳＤ領域番号１と、呼出番号１と、画面位置と、画面の大きさと、画面情報とからなる。
【０１２０】
呼出番号１のデータは、号車データと、トイレの表示データと、禁煙データと、ドアの開く方向データ等からなる。上記データにより、号車の表示３０ａと、トイレの表示（使用中は明るくなり、未使用では暗くなる等）３０ｂと、禁煙の表示３０ｃと、ドアの方向表示３０ｄが表示される。
【０１２１】
また、その他のＯＳＤ表示として、画面情報による表示がある。例えば、「普通」の表示３０ｅと、ドアが開く時のメッセージ３０ｆと、背景色の表示等がある。
【０１２２】
この様にして、表示部７は例えば、電車内の適所に配置される。そして例えば、電車の車掌が電車内の外部機器３を操作し、表示装置１に対し、ＯＳＤ領域指定信号（１，１）を含むシリアルデータを送信したとする。その結果、表示部７には、第１ＯＳＤデータ１４と画像データとが組合されたデータとにより、表示が行われる。
【０１２３】
なお、上記表示装置１では、２個の記憶部１２，１５を例示した。しかし、本発明はこれ限定されることなく、３個以上の記憶部を有しても良い。
【０１２４】
また、上記表示装置１では、記憶部１２，１５を各々、２分割する例を示した。しかし本発明はこれに限定されることなく、各々の記憶部を４分割、８分割、１６分割しても良い。
【図面の簡単な説明】
【０１２５】
【図１】本発明を実施するための最良の形態に係る表示装置１のブロック図である。
【図２】上記表示装置１に用いられる記憶部のイメージ図である。
【図３】上記表示装置１の主要動作を示すフローチャートである。
【図４】上記表示装置１に用いられる表示部７における、表示の第１例を示す図面である。
【図５】上記表示部７における、表示の第２例を示す図面である。
【図６】上記表示部７における、表示の第３例を示す図面である。
【符号の説明】
【０１２６】
７  表示部
８  制御部
１１  セレクタ
１２  第１記憶部
１３  制御プログラム
１４  第１ＯＳＤデータ
１５  第２記憶部
１６  第２ＯＳＤデータ
１７  第３ＯＳＤデータ
【図１】
2005274904.tif 000003
【図２】
2005274904.tif 000004
【図３】
2005274904.tif 000005
【図４】
2005274904.tif 000006
【図５】
2005274904.tif 000007
【図６】
2005274904.tif 000008